(57)【特許請求の範囲】
【請求項１】
内容物を収容する容器の口部に対して着脱可能に装着される装着筒と、
該装着筒の外側に設けられた外筒と、
該外筒及び装着筒の上端部を連結する天壁と、
前記装着筒、前記外筒、及び前記天壁によって囲まれる環状の収容凹部に、前記装着筒の軸線方向に沿って移動可能に配置されたブラシ器具と、
前記天壁及び前記ブラシ器具の間に設けられた弾性部と、を備え、
該弾性部は、前記口部に対して装着筒を装着する際には、前記ブラシ器具の天壁側への移動により圧縮されて弾性変形するとともに、前記装着筒を前記口部から取り外す際には、復元力により前記ブラシ器具を天壁から離間する方向に押し出すことを特徴とするブラシ器具付きキャップ。
【請求項２】
前記外筒の内面に設けられ、前記収容凹部の内部で前記ブラシ器具を抜け止め保持する抜け止め突起を有する、請求項１に記載のブラシ器具付きキャップ。
【請求項３】
前記口部に対して装着筒を装着する際に、前記ブラシ器具の下端が、前記容器の口部の下端から外側に延びる肩部に当接する、請求項１又は２に記載のブラシ器具付きキャップ。
【請求項４】
前記弾性部は、前記ブラシ器具に一体に成形されてなる、請求項１〜３の何れか一項に記載のブラシ器具付きキャップ。
【請求項５】
前記ブラシ器具は、前記装着筒の外面に対して摺動可能な内筒部、又は、前記外筒の内面に対して摺動可能な外筒部を備える、請求項１〜４の何れか一項に記載のブラシ器具付きキャップ。
【発明の詳細な説明】
【技術分野】
【０００１】
本発明は、内容物を充填した容器の口部に装着されるキャップに関し、特に、ブラシ器具を内部に収容したブラシ器具付きキャップに関するものである。
【背景技術】
【０００２】
従来、洗髪や毛髪の手入れを行う際に、頭皮の洗浄やマッサージを行うためのブラシ器具が提案されている（特許文献１参照）。このようなブラシ器具は、シャンプーや育毛剤等とともに使用されるため、それらの内容物が充填された容器と共に保管されることが望ましい。
【先行技術文献】
【特許文献】
【０００３】
【特許文献１】特開２００２−７８７６１号公報
【発明の概要】
【発明が解決しようとする課題】
【０００４】
しかしながら、このようなブラシ器具は、シャンプー等の容器とは別体であるため、それぞれ保管する空間を確保しなければならない。また、容器とブラシ器具とは別体であるため、保管の仕方によっては、洗髪する際にブラシ器具が見つからず、探すのに手間がかかるといった問題もある。また、持ち運ぶ際にも、別々に持ち運ばなければならないため、不便であった。
【０００５】
本発明は、このような問題点を解決することを課題とするものであり、容器の内容物の使用に際し用いられるブラシ器具の紛失を防止するとともに、保管時及び使用時の利便性に優れた、新規なブラシ器具付きキャップを提供することを目的とする。
【課題を解決するための手段】
【０００６】
上記課題を解決するため、本発明に係るブラシ器具付きキャップは、内容物を収容する容器の口部に対して着脱可能に装着される装着筒と、
該装着筒の外側に設けられた外筒と、
該外筒及び装着筒の上端部を連結する天壁と、
前記装着筒、前記外筒、及び前記天壁によって囲まれる環状の収容凹部に、前記装着筒の軸線方向に沿って移動可能に配置されたブラシ器具と、
前記天壁及び前記ブラシ器具の間に設けられた弾性部と、を備え、
該弾性部は、前記口部に対して装着筒を装着する際には、前記ブラシ器具の天壁側への移動により圧縮されて弾性変形するとともに、前記装着筒を前記口部から取り外す際には、復元力により前記ブラシ器具を天壁から離間する方向に押し出すことを特徴とする。
【０００７】
また本発明に係るブラシ器具付きキャップは、前記外筒の内面に設けられ、前記収容凹部の内部で前記ブラシ器具を抜け止め保持する抜け止め突起を有することが好ましい。
【０００８】
また本発明に係るブラシ器具付きキャップは、前記口部に対して装着筒を装着する際に、前記ブラシ器具の下端が、前記容器の口部の下端から外側に延びる肩部に当接することが好ましい。
【０００９】
また本発明に係るブラシ器具付きキャップは、前記弾性部が、前記ブラシ器具に一体に成形されてなることが好ましい。
【００１０】
また本発明に係るブラシ器具付きキャップは、前記ブラシ器具は、前記装着筒の外面に対して摺動可能な内筒部、又は、前記外筒の内面に対して摺動可能な外筒部を備えることが好ましい。
【発明の効果】
【００１１】
本発明によれば、容器の内容物の使用に際し用いられるブラシ器具の紛失を防止するとともに、保管時及び使用時の利便性に優れた、新規なブラシ器具付きキャップを提供することが可能となる。
【図面の簡単な説明】
【００１２】
【図１】本発明の一実施形態に係るブラシ器具付きキャップの、容器への装着状態を示す断面図である。
【図２】図１のブラシ器具付きキャップを容器から取り外した様子を示す図である。
【図３】取り外したブラシ器具付きキャップの使用状態を示す図である。
【図４】本発明の他の実施形態に係るブラシ器具付きキャップの断面図である。
【発明を実施するための形態】
【００１３】
以下、図面を参照しつつ、本発明をより具体的に説明する。図１は、本発明の一実施形態に係るブラシ器具付きキャップ１を側面側から見た断面図である。図１は、ブラシ器具付きキャップ１を、シャンプーや育毛剤等の内容物を収容する容器２の口部２ａに装着した装着状態を示している。
【００１４】
本実施形態のブラシ器具付きキャップ（キャップ）１は、容器２の口部２ａに対して、ねじ係合により着脱可能に装着される装着筒３と、装着筒３の外側に設けられた円筒状の外筒４と、外筒４及び装着筒３の上端部が連結された天壁５とによって囲まれる環状の収容凹部６を有する。なお、本実施形態において外筒４は、円筒状としているが、これに限定されるものではなく、例えば、断面が多角形や楕円形の筒状とすることも可能である。
【００１５】
容器２は、口部２ａの下端から外側に延びる肩部２ｂ、肩部２ｂの外縁から下方に延びる筒状の胴部２ｃ、及び胴部２ｃの下端を閉じる底部２ｄで構成される。また、口部２ａの上端には、注出口を有する中栓２ｅが嵌合固定されている。なお、容器２の形状は特に限定されるものではない。
【００１６】
収容凹部６には、ブラシ器具７が装着筒３の外側で軸線方向に沿って移動可能に収容されている。本実施形態におけるブラシ器具７は、容器２の内容物の使用に際して、頭皮の洗浄やマッサージを行うためのマッサージブラシである。本実施形態のブラシ器具７は、剛性の異なる２つの部品を組み合わせたものであり、オレフィン樹脂、ウレタン樹脂、スチレン樹脂、ポリエステル樹脂等のエラストマー樹脂や合成ゴム等の軟質な材量、あるいは、ポリプロピレン樹脂（ＰＰ）、ポリエチレン（ＰＥ）樹脂等の比較的軟質な材料からなるブラシ部材８と、ブラシ部材８よりも硬質の樹脂材料等からなる枠部材９とで構成される。なお、ブラシ器具７の材料及び構造は特に限定されず、全体を１部品で構成してもよいし、３つ以上の部品を組み合わせた構成としてもよい。また、本実施形態のブラシ器具７は、全体が平面視で円環状に構成されているが、これに限定されず、円環状の収容凹部６の内の、周方向の一部に収容される形状としても良い。
【００１７】
ブラシ部材８は、装着筒３の外側に配置される内筒部８ａと、内筒部８ａの下端部から外側に延びる円環板状の底板８ｂと、底板８ｂの下面（ブラシ面）から下方に向けて突出する多数の突起８ｃと、を有する。
【００１８】
枠部材９は、内筒部８ａの外側で底板８ｂの上面に配置される円環板状の上板９ａと、上板９ａの外縁から上方に立設する外筒部９ｂと、上板９ａの外縁から下方に突出して底板８ｂの外縁を嵌合保持する保持部９ｃとを有する。外筒部９ｂの外面下端部には、外筒４の内面４ａに対して摺動可能、且つ、外筒４の内面４ａ下端部に設けられた抜け止め突起４ｂに係合することでブラシ器具７を収容凹部６の内部で抜け止め保持する凸部９ｄが設けられている。なお、抜け止め保持するための構成は、本実施形態に限定されない。また、抜け止め突起４ｂ及び凸部９ｄの軸線方向における位置は、突起８ｃの高さや、要求される外筒４からの突出量等に応じて決定される。
【００１９】
本実施形態において、ブラシ器具７と天壁５との間には、弾性部としてのスプリング１０が設けられている。スプリング１０は、ブラシ部材８の内筒部８ａの内面下端に設けられた支持部８ｄの上面と、天壁５の下面とによって上下方向（軸線方向）に挟まれている。また、スプリング１０は、装着筒３の外側、且つ、内筒部８ａの内側に設けられている。なお、スプリング１０の配設位置は本実施形態に限定されず、例えば、内筒部８ａの外側としてもよい。また、本実施形態のスプリング１０は金属製であるが、これに限定されず、樹脂材料からなるものでもよい。
【００２０】
スプリング１０は、所謂圧縮ばねとして作用するものである。図１に示すキャップ１の装着状態において、スプリング１０は軸線方向に圧縮されており、その復元力により、ブラシ器具７を天壁５から離間する方向に付勢している。なお、本実施形態において、装着状態におけるブラシ器具７の下端（突起８ｃの先端）は、容器２の肩部２ｂに当接している。
【００２１】
図１に示す装着状態からキャップ１を取り外す場合には、容器２に対してキャップ１を回転させて、装着筒３を口部２ａから螺脱する。キャップ１が容器２に対して上昇していくと、スプリング１０の復元力により、ブラシ器具７は次第に天壁５から離間していき、図２に示すように凸部９ｄが抜け止め突起４ｂに係合するとブラシ器具７は停止する。
【００２２】
容器２からキャップ１を取り外した後は、容器２が開栓されるため、内容物の注出が可能となり、同時に、キャップ１に設けられたブラシ器具７を用いて、頭皮の洗浄やマッサージを行うことができる。
【００２３】
図３に示すように、ブラシ器具７のブラシ面に設けられた突起８ｃを頭皮等の当接面１１に押し当てた際、押し当てる強さに応じてスプリング１０が弾性変形してブラシ器具７が軸線方向に移動するため、当接面１１に対して突起８ｃが強く当たることを防止することができる。なお、突起８ｃの材料、形状、スプリング１０の剛性等により、洗浄やマッサージに適した感触となるよう当たりの強さを調整することができる。
【００２４】
キャップ１を容器２に装着する場合には、キャップ１を、取り外し時とは逆方向に回転させて装着筒３を口部２ａに螺着していく。キャップ１が容器２に対して接近していくと、容器２の肩部２ｂ上面に、ブラシ器具７の下端、すなわち突起８ｃの下端が当接し、さらにキャップ１を回転させると、スプリング１０を圧縮させながら、ブラシ器具７が天壁５に接近していく。装着筒３を口部２ａに最後まで螺着させると、図１に示す装着状態となり、ブラシ器具７が収容凹部６内に完全に収容される。なお、本実施形態のように、ねじ係合するキャップ１においては、口部２ａと装着筒３との間に、キャップ１の締め込みにより乗り越えて係合する凹凸状のロック機構を設けて回り止めとすることができ、このような構成とすることで、キャップ１が誤って回転して緩んだり、容器２から外れたりすることを防止することができる。
【００２５】
上記のような本実施形態のブラシ器具付きキャップ１にあっては、容器２の内容物の使用に際し用いられるブラシ器具７を、キャップ１の内側の収容凹部６に収容する構成としたことで、キャップ１の装着状態では容器２とブラシ器具７とが一体となる。これにより、ブラシ器具７を容器２と別に保管するための空間が不要となるとともに、ブラシ器具７の紛失を防止することができる。また、一体として持ち運ぶことができるので、携帯して移動する際にも便利である。また、容器２にキャップ１を装着した状態では、キャップ１の内側に収容したブラシ器具７が、ほとんど又は全く外部に露出しないため、容器２の外部にブラシ器具７を取り付ける場合に比べて、外観上もすっきりとしたものとなる。
【００２６】
また、キャップ１を容器２から取り外す作業のみで、容器２の内容物の注出が可能となり、同時に、スプリング１０により押し出されたブラシ器具７が使用可能となるため、使用時の利便性に優れている。
【００２７】
また、本実施形態のブラシ器具付きキャップ１にあっては、ブラシ器具７を比較的軟質の樹脂材料からなるブラシ部材８と、ブラシ部材８よりも硬質の樹脂材料等からなる枠部材９とで構成したことにより、当接面１１に対しては適度な弾力を持つ突起８ｃを当接させるとともに、枠部材９で適度な剛性を保持して、ブラシ器具７の軸線方向の移動を安定させることができる。
【００２８】
また、本実施形態のブラシ器具付きキャップ１にあっては、ブラシ器具７を天壁５側に最大に押し込んだ状態で、外筒４の下端よりも突起８ｃの下端が突出していることが好ましい。このような構成とすることで、頭皮等の当接面１１に対して外筒４を接触し難くして、ブラシ面の突起８ｃのみを当接面に接触させることができる。なお、ブラシ器具７を天壁５側に最大まで押し込んだ際の、突起８ｃの外筒４からの突出量は、ブラシ器具７の高さ、すなわち、本実施形態においては内筒部８ａ又は外筒部９ｂの高さを変えること等により調整することができる。また、外筒４の内面又は天壁５の下面から立設するリブを設けて、当該突出量を調整することも可能である。
【００２９】
図４は、本発明の他の実施形態に係るブラシ器具付きキャップ２０の断面図であり、右側半部は、ブラシ器具２７が最大まで押し出された（天壁５から最大に離間した）状態を表し、左側半部は、ブラシ器具２７が天壁５に向けて押し込まれた状態を表している。
【００３０】
本実施形態のブラシ器具付きキャップ２０においては、弾性部がブラシ器具２７に一体に成形されている。ブラシ器具２７は、装着筒３の外面３ａに対して摺動可能な内筒部２７ａと、内筒部２７ａの上端から外側に向かって上方に延びる弾性部としての板ばね部２７ｂと、板ばね部２７ｂの上端から外側に延びて天壁５の下面に当接する天板２７ｃと、内筒部２７ａの下端部から外側に延びる円環板状の底板２７ｄと、底板２７ｄの下面（ブラシ面）から下方に向けて突出する多数の突起２７ｅと、を有する。なお、弾性部を構成する板ばね部２７ｂは、特に限定されるものではなく、例えば、断面視で軸線方向に平行に延在する構成としても良く、また、平面視で環状であっても良いし、周方向に間欠した形状として部分的に底板２７ｄと天板２７ｃとを連結する構成としても良い。
【００３１】
本実施形態のブラシ器具付きキャップ２０にあっては、先の実施形態と同様に、キャップ２０の装着状態において、ブラシ器具２７と容器２とを一体とすることができるので、保管を容易にし、ブラシ器具２７の紛失を防止することができる。また、使用時には、キャップ２０を取り外す作業のみで、容器２の内容物の注出と、ブラシ器具２７の使用とが可能となる。また、ブラシ面を当接面１１に押し当てた際には、適度な弾力を持って突起２７ｅを当接させることができる。
【００３２】
また、本実施形態のブラシ器具付きキャップ２０にあっては、弾性部をブラシ器具２７に一体に成形したことにより、部品数を削減することができる。これにより、成形に係るコスト及び、組立てに係る工数等を低減することが可能となる。
【００３３】
以上、図示例に基づき説明したが、本発明は上述の実施形態に限定されるものでなく、特許請求の範囲の記載範囲内で適宜変更することができるものであり、例えば、装着筒３と容器２の口部２ａとの係合態様を、ねじ係合ではなく、アンダーカット係合とし、軸線方向の圧入及び引き抜きにより着脱可能な構成としても良い。また、上述の実施形態では、ブラシ器具７を頭皮の洗浄やマッサージを行うためのマッサージブラシとして説明したが、これに限定されず、例えば、洗顔料を収容する容器に装着される、洗顔用ブラシとすることも可能である。また、洗濯用洗剤を収容する容器に装着される、汚れた衣類に洗剤を塗布するための器具、または擦ることで汚れを落とすための洗濯用ブラシ等としても良い。
【符号の説明】
【００３４】
１、２０  ブラシ器具付きキャップ（キャップ）
２  容器
３  装着筒
４  外筒
４ａ  内面
４ｂ  抜け止め突起
５  天壁
６  収容凹部
７、２７  ブラシ器具
８  ブラシ部材
８ａ  内筒部
８ｂ  底板
８ｃ  突起
８ｄ  支持部
９  枠部材
９ａ  上板
９ｂ  外筒部
９ｃ  保持部
９ｄ  凸部
１０  スプリング（弾性部）
１１  当接面
２７ａ  内筒部
２７ｂ  板ばね部（弾性部）
２７ｃ  天板
２７ｄ  底板
２７ｅ  突起
【図１】
0006275570.tif 000002
【図２】
0006275570.tif 000003
【図３】
0006275570.tif 000004
【図４】
0006275570.tif 000005